(57)【要約】【課題】飲料原料補充作業やメンテナンス作業を行う際、開閉扉を開いて効率良くこれらの作業を行うことができるカップ式自動販売機を提供することを目的とする。【解決手段】コーヒー豆キャニスタ４、粉末原料キャニスタ５、コーヒー抽出器８等の飲料を調製する機器を筐体２内に配設するとともに、カップ供給装置１４を開閉扉３に配設したことにより、当該開閉扉３を開くだけで、コーヒー豆キャニスタ４や粉末原料キャニスタ５への飲料原料の補充作業や、コーヒー抽出器８、ミキシングボウル９や冷却水槽１２、滓バケツ１３のメンテナンス作業を容易に効率良く行える。【選択図】        図１
2010108015.tif 000002
【特許請求の範囲】
【請求項１】
前面が開放される筐体と、当該筐体の前面の一端に蝶着される開閉扉とを備え、飲料原料と湯水とを用いて飲料調製手段で調製した飲料をカップ供給装置から供給されたカップに注出して販売するカップ式自動販売機において、
前記飲料調製手段を前記筐体内に配設するとともに、前記カップ供給装置を前記開閉扉に配設し、当該開閉扉を開くことで前記飲料調製手段への前記飲料原料の補充作業やメンテナンス作業を容易としたことを特徴とするカップ式自動販売機。
【請求項２】
前記飲料調製手段は、前記飲料原料を収容するキャニスタ、前記飲料原料と温水とでコーヒー液を抽出するコーヒー抽出器を備えていることを特徴とする請求項１に記載のカップ式自動販売機。
【発明の詳細な説明】
【技術分野】
【０００１】
本発明は、飲料原料と温水から調製した飲料をカップで販売するカップ式自動販売機に関するものである。
【背景技術】
【０００２】
機内で飲料原料と温水から調製した飲料をカップで販売するカップ式自動販売機は、収容しているカップを飲料販売の都度搬出して供給するカップ供給装置、飲料原料のコーヒー豆や砂糖、クリーム、ココア等の粉末原料を収容しているキャニスタ、飲料の調製に使用する温水を貯留している温水タンク、キャニスタから供給されたコーヒー豆をミルで挽いた挽き豆に温水タンクから供給される温水でコーヒー液を抽出するコーヒー抽出器、供給されたコーヒー液と砂糖やクリームを攪拌混合するミキシングボウル、アイス飲料を販売するときに使用する氷を製造して貯蔵しているオーガ式製氷機、冷却装置の蒸発器の周囲に形成したアイスバンクの潜熱で略０℃に冷却した冷却水を貯留してシロップ飲料に使用するシロップや炭酸水を冷却する冷却水槽等を備えている（例えば、特許文献１参照）。
【０００３】
そして、硬貨投入口に硬貨が投入されて飲料選択ボタンが押圧されると、選択された飲料が調製されてカップに注入されて販売に供される。例えば、レギュラーコーヒー飲料が選択されると、カップがカップ供給装置から搬出されて販売口のカップ載置台上に供給される。同時にコーヒー豆がコーヒー豆キャニスタからミルに供給され、ミルではコーヒー豆が挽かれて挽き豆となりコーヒー抽出器に投入される。コーヒー抽出器では温水タンクから供給された温水が挽き豆に注がれるとコーヒー成分が温水に溶け出し、このコーヒー成分が溶け出した温水をフィルタを通過させて濾過するとコーヒー液となる。
【０００４】
このようにして抽出されたコーヒー液はミキシングボウルに導かれて粉末原料キャニスタから供給された砂糖やクリームと攪拌混合されてカップ載置台上のカップに注入される。また、アイスコーヒー飲料が選択されたときはオーガ式製氷機から氷が供給されてアイスコーヒー飲料となる。
【特許文献１】特開平５−２２５４４０号公報（図２）
【発明の開示】
【発明が解決しようとする課題】
【０００５】
しかしながら、コーヒー豆や砂糖、クリーム等の飲料原料の補充作業、メンテナンス作業を行うには、開閉扉を開き、さらにカップ供給装置等を手前側に回転移動させて筐体前面を開放させる必要があり、飲料原料補充作業やメンテナンス作業を行う際の妨げとなっていた。
本発明は、上記実情に鑑みて、飲料原料補充作業やメンテナンス作業を行う際、開閉扉を開いて効率良くこれらの作業を行うことができるカップ式自動販売機を提供することを目的とする。
【課題を解決するための手段】
【０００６】
上記目的を達成するため、本発明の請求項１に係るカップ式自動販売機は、前面が開放される筐体と、当該筐体の前面の一端に蝶着される開閉扉とを備え、飲料原料と湯水とを用いて飲料調製手段で調製した飲料をカップ供給装置から供給されたカップに注出して販売するカップ式自動販売機において、
前記飲料調製手段を前記筐体内に配設するとともに、前記カップ供給装置を前記開閉扉に配設し、当該開閉扉を開くことで前記飲料調製手段への前記飲料原料の補充作業やメンテナンス作業を容易としたことを特徴とする。
【０００７】
また、本発明の請求項２に係るカップ式自動販売機は、上記請求項１において、前記飲料調製手段は、前記飲料原料を収容するキャニスタ、前記飲料原料と温水とでコーヒー液を抽出するコーヒー抽出器を備えていることを特徴とする。
【発明の効果】
【０００８】
請求項１の発明によれば、飲料調製手段を筐体内に配設するとともに、カップ供給装置を開閉扉に配設したことにより、飲料原料補充作業やメンテナンス作業を行う際、開閉扉を開いて効率良くこれらの作業を行うことができるカップ式自動販売機を提供することが可能となる。
また、請求項２の発明によれば、飲料調製手段が、飲料原料を収容するキャニスタ、飲料原料と温水とでコーヒー液を抽出するコーヒー抽出器であることにより、飲料原料補充作業やメンテナンス作業を効率良く行うことが可能となる。
【発明を実施するための最良の形態】
【０００９】
以下に添付図面を参照して、本発明に係るカップ式自動販売機の好適な実施の形態について詳細に説明する。ここで例示するカップ式自動販売機は、硬貨受け入れ後に利用者の要求に応じて調製したホット飲料もしくはコールド飲料をカップ取出口のカップ載置台に載置されているカップに注出して利用者に提供するもので、カップ供給装置、温水タンク、キャニスタ、コーヒー抽出器、オーガ式製氷機、冷却水槽等を備えている。なお、この実施の形態によりこの発明が限定されるものではない。
【００１０】
図１は、本発明の実施の形態に係るカップ式自動販売機の開閉扉を開いた図である。カップ式自動販売機１は、前面が開放される筐体２と、筐体２の前面の一端に蝶番で取り付けられる開閉扉３とを備え、開閉扉３の外表面には、図示しない、硬貨を投入するための硬貨投入口、投入した硬貨を返却するための硬貨返却レバー、硬貨を返却するための硬貨返却口、飲料を選択する飲料選択ボタン等が設けられている。
【００１１】
筐体２の内部には、飲料原料のコーヒー豆を収容しているコーヒー豆キャニスタ４と、砂糖、クリーム、ココア等の粉末原料を収容している粉末原料キャニスタ５、飲料の調製に使用する温水を貯留している温水タンク６、コーヒー豆キャニスタ４から供給されたコーヒー豆をミル７で挽いた挽き豆に温水タンク６から供給される温水でコーヒー液を抽出するコーヒー抽出器８、コーヒー液と砂糖やクリームを攪拌混合するミキシングボウル９、カップを載置するカップ載置台１０、アイス飲料を販売するときに使用する氷を製造して貯蔵しているオーガ式製氷機１１、冷却装置の蒸発器の周囲に形成したアイスバンクの潜熱で略０℃に冷却した冷却水を貯留してシロップ飲料に使用するシロップや炭酸水を冷却する冷却水槽１２、コーヒー滓やフィルタが廃棄される滓バケツ１３等が備えられ、これらの機器で飲料調製手段を構成している。
【００１２】
開閉扉３には、収容しているカップを飲料販売の都度搬出して供給するカップ供給装置１４、取出扉を開いて調製されたカップ飲料を取り出すカップ取出口１５、利用者が投入した硬貨を処理する金銭処理機１６等を備えている。
以上説明したカップ式自動販売機１で、硬貨投入口に硬貨が投入されてホットコーヒー飲料を選択する飲料選択ボタンが押圧されると、カップ供給装置１４からカップが搬出されてカップ載置台１０に載置されるとともに、コーヒー抽出器８には、コーヒー豆キャニスタ４から供給されたコーヒー豆がミル７で挽かれたコーヒー挽き豆が投入され、温水タンク６に貯留されている９５〜９７℃の温水が図示しない湯弁が開放されてコーヒー挽き豆に満遍なく供給されると、コーヒー挽き豆から温水にコーヒー成分が溶け出す。このようにしてコーヒー挽き豆から温水にコーヒー成分が溶け出したコーヒー液がフィルタで濾過されてミキシングボウル９に送られる。ミキシングボウル９では、コーヒー抽出器８で抽出されたコーヒー液に粉末原料キャニスタ５から供給された砂糖、クリームなどの粉末原料が攪拌混合されたホットコーヒー飲料がカップ載置台１０に載置されているカップに注出され、利用者がカップ取出口１５の取出扉を開いて飲料入りカップを取り出すとカップ式自動販売機１によるカップ飲料販売が完了する。
【００１３】
また、アイスコーヒー飲料を選択する飲料選択ボタンが押圧されると、上記同様にカップがカップ載置台１０に載置され、コーヒー抽出器８には、コーヒー挽き豆と温水が供給される。このとき供給される温水の量はオーガ式製氷機１１から供給される氷の分少なく設定されている。このようにしてコーヒー挽き豆から温水に溶け出したコーヒー成分濃度が高いコーヒー液がフィルタで濾過されてミキシングボウル９に送られる。ミキシングボウル９では砂糖、クリームなどの粉末原料と攪拌混合されてカップに注出される。このカップに注出されたコーヒー飲料にオーガ式製氷機１１から氷が供給されてアイスコーヒー飲料が出来上がる。
【００１４】
そして、コーヒー豆や砂糖、クリーム、ココア等の飲料原料の補充作業、メンテナンス作業を行うときには、開閉扉３を開き、コーヒー豆キャニスタ４にはコーヒー豆を、粉末原料キャニスタ５には砂糖やクリーム、ココア等の粉末原料を補充し、コーヒー抽出器８の洗浄や装着されているフィルタの点検交換、ミキシングボウル９の洗浄、冷却水槽１２の点検、滓バケツ１３のコーヒー滓やフィルタの廃棄等を行う。このように、コーヒー豆キャニスタ４、粉末原料キャニスタ５、コーヒー抽出器８等の飲料を調製する機器を筐体２内に配設するとともに、カップ供給装置１４を開閉扉３に配設したことにより、当該開閉扉３を開くだけで、コーヒー豆キャニスタ４や粉末原料キャニスタ５への飲料原料の補充作業や、コーヒー抽出器８、ミキシングボウル９や冷却水槽１２、滓バケツ１３のメンテナンス作業を容易に効率良く行うことができる。
【図面の簡単な説明】
【００１５】
【図１】本発明の実施の形態であるカップ式自動販売機の開閉扉を開いた図である。
【符号の説明】
【００１６】
１      カップ式自動販売機
２      筐体
３      開閉扉
４      コーヒー豆キャニスタ
５      粉末原料キャニスタ
６      温水タンク
７      ミル
８      コーヒー抽出器
９      ミキシングボウル
１０      カップ載置台
１１      オーガ式製氷機
１２      冷却水槽
１３      滓バケツ
１４      カップ供給装置
１５      カップ取出口
１６      金銭処理機
【図１】
2010108015.tif 000003